(57)【特許請求の範囲】
【請求項１】
ユーザーの経血等の排泄液を吸収・保持するための生理用ナプキンであって、前記ユーザーの腹側から背中側に向かう前後方向に対応する長手方向に延伸されてなり、メインパッドボディとフローガイドユニットとを備え、
前記メインパッドボディは、前記長手方向に延伸されて形成された下部パッド層と、前記下部パッド層の上に設けられた吸収体と、前記下部パッド層の上に前記下部パッド層とにより前記吸収体を内包するように設けられた上部パッド層とを備え、
前記フローガイドユニットは、２つの案内部材とプル部材とを備え、
各前記案内部材は、前記長手方向に対して垂直の高さ方向沿いに相反する上端と下端とを有し、各前記上端が互いに連結され、各前記下端は、互いに所定の間隔をおいて離れるように前記吸収体に連結され、前記プル部材は前記上端に連結され、
各前記案内部材は、前記上端が前記下端に前記高さ方向沿いに近づいた近接位置に折り畳まれ、離れた離反位置に引き伸ばされるように折り曲げられてなり、折り曲げられた本体部分としての複数のガイド部と、前記ガイド部の曲げられて隣り合わせた内側端部の間に設けられた複数の内側接合部と、前記ガイド部の曲げられて隣り合わせた前記内側端部と反対側の外側端部の間に設けられた複数の外側接合部とを有し、
前記プル部材は、前記近接位置にて前記ガイド部が前記吸収体に対して前記高さ方向沿いに積み重ねられた折り畳み位置から、前記離反位置にて前記ガイド部が前記吸収体に対して前記高さ方向沿いに引き伸ばされた伸長位置に変位するように前記メインパッドボディに対して移動可能に操作されるよう構成されている、ことを特徴とする生理用ナプキン。
【請求項２】
各前記ガイド部における前記外側接合部と前記内側接合部との間の幅は、前記ガイド部が前記折り畳み位置にて積み重ねられた場合において上側に向かうほど減少するように設けられている、ことを特徴とする請求項１に記載の生理用ナプキン。
【請求項３】
各前記案内部材の前記ガイド部は、前記折り畳み位置において前記高さ方向沿いに積み重ねられた場合において、各前記案内部材の前記内側接合部が前記長手方向の中心軸線に対して対称的に且つ互いに近接するように設けられる、ことを特徴とする請求項１又は２に記載の生理用ナプキン。
【請求項４】
前記上部パッド層は、前記吸収体を取り囲むように前記下部パッド層に対面して連結された環状の連結部と、前記吸収体の上面に互いに所定の間隔をおいて前記連結部の前記吸収体寄りの前記長手方向の両側の内側縁から前記吸収体側に突き出ると共に前記長手方向に延伸されるように設けられた２つのブロック部と、を備え、
前記ブロック部は、前記案内部材の前記下端に近づいて配置されている、ことを特徴とする請求項１〜３のいずれかの一項に記載の生理用ナプキン。
【請求項５】
前記ブロック部は、前記吸収体側に対しての平行姿勢から、前記吸収体全体が露出するように前記連結部に対しての平行姿勢に変換するように折り返し可能になっている、ことを特徴とする請求項４に記載の生理用ナプキン。
【請求項６】
前記ブロック部は、前記吸収体から続いた吸収体側面部と前記連結部から続いた連結部側面部とを有し、前記吸収体側面部が液吸収性材料で作られ、前記連結部側面部が液不透過性材料で作られたものである、ことを特徴とする請求項４又は５に記載の生理用ナプキン。
【請求項７】
前記プル部材は、前記案内部材の前記上端同士の間に連結された主体部と、前記主体部の前端から一体的に延出された前部延伸部又は／及び後端から一体的に延出された後部延伸部を有する、ことを特徴とする請求項１〜６のいずれかの一項に記載の生理用ナプキン。
【請求項８】
前記フローガイドユニットは、更に前記案内部材の前記外側接合部より外方に突き出て設けられている液吸収性を有する複数のフラッフを備えている、ことを特徴とする請求項１〜７のいずれかの一項に記載の生理用ナプキン。
【請求項９】
前記案内部材は、前記内側接合部に更に複数の通気孔が形成されていることを特徴とする請求項１〜８のいずれかの一項に記載の生理用ナプキン。
【請求項１０】
複数の前記通気孔は、前記内側接合部において前記長手方向に沿って互いに所定の間隔をおいて長く形成されており、隣接する前記内側接合部に形成された前記通気孔は互いに交互にずれてスタガード配置になるように設けられている、ことを特徴とする請求項９に記載の生理用ナプキン。
【発明の詳細な説明】
【技術分野】
【０００１】
本発明は、衛生用品に関し、特には、経血等の体液を吸収・保持するための生理用ナプキンに関する。
【背景技術】
【０００２】
生理用ナプキン（sanitary napkin）は、女性が生理の時を快適に過ごすために用いられるものであり、近年、女性の生活ぶりに合せて生理期間の憂鬱を乗り越えて快適に過ごせるように多様な設計がなされている。日中はもちろん、就寝時でもナプキンのずれにより経血が吸収されず横・後ろから漏れたりして、服や寝具が汚れる心配なくぐっすり寝られるようにロングタイプの夜用ナプキンが使用されている。夜用ナプキンは、寝返りによりユーザーの股間部の後ろまで流れた経血を吸収するようにナプキンの長さが臀部まで延伸されているものである。しかし、夜用ナプキンは寝返りにより位置がずれてユーザーの股間部にフィットしなくなることもあり、やはり経血が吸収されず漏れてしまう恐れがある。
【０００３】
例えば特許文献１には、図１と図２に示されているように、メインボディ１１と、メインボディ１１の上側に配置されており、帯状に成形されたフローガイドボディ１２とを備え、フローガイドボディ１２が折り畳み式になっており、使用の際に股間の液排泄部側に近づいて密着するようにフローガイドボディ１２が押し上げられることによって、ユーザーの姿勢が傾いたりして経血が股間に流れ込んだ場合でも、股間に密着されたフローガイドボディ１２に経血が接触され、吸収されるという生理用ナプキンが開示されている。この従来の生理用ナプキンによれば、経血が後ろ側に流れて漏れることを効果的に避けることができる。
【０００４】
例えば特許文献２には、図３と図４に示されているように、吸収体２１と、該吸収体２１を覆って設けられたシート状の外側覆い部材２２と、外側覆い部材２２のほぼ中央に設けられたシート状の液止め部材２４と、液止め部材２４に連結された帯状に形成されたフローガイドボディ２５と、フローガイドボディ２５を貫通してその両端の外側に突き出て設けられた引き紐２６とを備えている生理用ナプキンが開示されている。ユーザーがこの引き紐２６を引っ張ると、フローガイドボディ２５が折り畳み姿勢から起立姿勢に引き上げられて股間の液排泄部側に近づいて密着することができる。従って、ユーザーの姿勢が傾いたりして経血が股間に流れ込んだ場合でも、股間に密着されたフローガイドボディ２５によって素早く吸収される。
【先行技術文献】
【特許文献】
【０００５】
【特許文献１】中国特許出願公開第１０１２３４０５６号明細書
【特許文献２】中国特許出願公開第１０１２３４０５８号明細書
【発明の概要】
【発明が解決しようとする課題】
【０００６】
しかし、フローガイドボディ１２（２５）が細長い帯状に成形されているため、ユーザーの体型により臀部が大きい場合、股間の両側にフィットして密着することができなくなるため、効果的に吸収することが出来なくなる問題点がある。また、フローガイドボディ１２（２５）は、吸収体１３（２１）を覆って設けられたシート状の外側覆い部材１４（２２）に繋がっていて、フローガイドボディ１２（２５）に吸収案内された経血は外側覆い部材１４（２２）を経てから吸収体１３（２１）に吸収されるので、素早く吸収できない問題点もある。
【０００７】
本発明は、上記問題点に鑑みてなされたもので、ユーザーの体型によらずフィットでき、体液が素早く吸収される生理用ナプキンを提供することを目的とする。
【課題を解決するための手段】
【０００８】
上記目的を達成するために、本発明は、ユーザーの経血等の排泄液を吸収・保持するための生理用ナプキンであって、前記ユーザーの腹側から背中側に向かう前後方向に対応する長手方向に延伸されてなり、メインパッドボディとフローガイドユニットとを備え、前記メインパッドボディは、前記長手方向に延伸されて形成された下部パッド層と、前記下部パッド層の上に設けられた吸収体と、前記下部パッド層の上に前記下部パッド層とにより前記吸収体を内包するように設けられた上部パッド層とを備え、前記フローガイドユニットは、２つの案内部材とプル部材とを備え、各前記案内部材は、相反する上端と下端とを有し、各前記上端が互いに連結され、各前記下端は、互いに所定の間隔をおいて離れるように前記吸収体に連結され、前記プル部材は前記上端に連結され、各前記案内部材は、前記上端が前記下端に前記長手方向に対して垂直の高さ方向沿いに近づいた近接位置に折り畳まれ、離れた離反位置に引き伸ばされるように折り曲げられてなり、折り曲げられた本体部分としての複数のガイド部と、前記ガイド部の曲げられて隣り合わせた内側端部の間に設けられた複数の内側接合部と、前記ガイド部の曲げられて隣り合わせた前記内側端部と反対側の外側端部の間に設けられた複数の外側接合部とを有し、前記プル部材は、前記近接位置にて前記ガイド部が前記吸収体に対して前記高さ方向沿いに積み重ねられた折り畳み位置から、前記離反位置にて前記ガイド部が前記吸収体に対して前記高さ方向沿いに引き伸ばされた伸長位置に変位するように前記メインパッドボディに対して移動可能に操作されるよう構成されている、ことを特徴とする。
【発明の効果】
【０００９】
本発明に係るナプキンは、プル部材を案内部材と共に上側に引き上げ、ユーザーの股間に近寄せていくと、ユーザーの体型によらずフィットでき、良好に接触することができるため、ユーザーが寝返りの間でも股間の排泄部からの経血等の液を素早く吸収し、すぐに吸収体側にガイドすることができる。また、案内部材によってメインパッドボディがユーザーの臀部から所定のスペースをおくよう離れて配置されているため、空気がこもらず蒸れ感が大幅に軽減され、ドライに保つことができる。
【図面の簡単な説明】
【００１０】
【図１】従来の生理用ナプキンの一例を示す斜視図である。
【図２】図１の線II―IIの断面図である。
【図３】従来の生理用ナプキンの他例を示す斜視図である。
【図４】図３の生理用ナプキンの一部を破断して拡大して示す図である。
【図５】第１の実施例に係る生理用ナプキンを示す平面図である。
【図６】第１の実施例に係る生理用ナプキンを示す斜視図である。
【図７】第１の実施例に係る生理用ナプキンを示す外側面図である。
【図８】図７の断面図である。
【図９】ブロック部の姿勢変換を説明する図である。
【図１０】案内部材が伸長された状態を示す図である。
【図１１】第１の実施例に係る生理用ナプキンの使用状態を説明する図である。
【図１２】第２の実施例に係る生理用ナプキンを示す断面図である。
【図１３】第２の実施例に係る生理用ナプキンの使用状態を説明する図である。
【図１４】第３の実施例に係る生理用ナプキンを示す外側面図である。
【図１５】第４の実施例に係る生理用ナプキンを示す平面図である。
【図１６】第４の実施例に係る生理用ナプキンを示す外側面図である。
【図１７】第５の実施例に係る生理用ナプキンを示す断面図である。
【図１８】第６の実施例に係る生理用ナプキンを示す外側面図である。
【発明を実施するための形態】
【００１１】
以下、本発明の生理用ナプキンにおけるいくつかの実施例について図面を参照して説明する。なお、同一構成及び機能を有する構成要素については、同一番号を付してその説明を省略する。
【００１２】
（第１の実施例）
図５〜図１１に示されているように、第１の実施例に係る生理用ナプキン３は、横長に延伸して略長方形状になっており、メインパッドボディ（main pad body）４とフローガイドユニット（flow-guide unit）５とを備えている。なお、ナプキン３の長手方向はユーザーの腹側から背中側に向かう前後方向に対応する方向、ナプキン３の幅方向は、長手方向と同一の平面にあり且つ該長手方向に直交する方向、ナプキン３の高さ方向は、ユーザーの躯体側から足側に向かう上下方向に対応し、長手方向及び幅方向に垂直する方向である。
【００１３】
メインパッドボディ４は、長手方向に延伸されてシート状に形成された下部パッド層４１と、下部パッド層４１の上に敷かれて設けられた吸収体４３と、下部パッド層４１の上に下部パッド層４１とにより吸収体４３を内包するように設けられた上部パッド層４２とを備えている。
【００１４】
上部パッド層４２は、吸収体４３を取り囲むように下部パッド層４１に対面して連結された環状の連結部４２１と、吸収体４３の上面に互いに所定の間隔をおいて連結部４２１の吸収体４３寄りの長手方向の両側の内側縁から吸収体４３側に突き出ると共に長手方向に延伸されるように設けられた２つのブロック部（liquid-blocking portions）４２３、４２３と、を備えている。
【００１５】
連結部４２１は、ブロック部４２３を取り囲むように配置されている。ブロック部４２３は、図９に示されるように、吸収体４３から続いた吸収体側面部４２３ａと、吸収体側面部４２３ａと背中合わせ側で連結部４２１から続いた連結部側面部４２３ｂとを有し、それぞれ吸収体４３側に対して平行に対面する平行姿勢（図８参照）から連結部４２１に対して平行に対面する平行姿勢（図９参照）に変換するように折り返し可能になっており、折り返されて吸収体側面部４２３ａが上側に来てブロック部４２３が連結部４２１に対して平行姿勢になり吸収体側面部４２３ａと吸収体４３とにより一面状になった際吸収体４３全体が露出するようになる。
【００１６】
連結部４２１とブロック部４２３の連結部側面部４２３ｂとは、同様に液不透過性材料で作られ、吸収体４３とブロック部４２３の吸収体側面部４２３ａとは、液吸収性材料で作られている。このように、ブロック部４２３は、図９のように、吸収体４３全体が露出するように折り返されるように設けられているため、ブロック部４２３の吸収体側面部４２３ａが吸収体４３と同一材料で作られると、液の吸収面積を増大することができる。これによって、生理用ナプキン３の吸収力を高めることができ、ユーザーの体型に適応して使用される。
【００１７】
フローガイドユニット５は、２つの案内部材５１とプル部材５２とを備えている。各案内部材５１は、高さ方向において相反する上端と下端とを有し、それぞれの上端が連結されている。各案内部材５１の下端は、図８と図１０のように、互いに所定の間隔をおいて離れるように吸収体４３の上面に連結されている。ブロック部４２３は、案内部材５１の下端に近づいて配置されている。図６に示すように、案内部材５１の上端にプル部材５２が連結されている。
【００１８】
各案内部材５１は、長手方向に延伸されており、左右方向に沿った幅を有するように、高さ方向沿いに上端が下端に近づいた近接位置に折り畳まれ、離れた離反位置に引き伸ばされるように折り曲げられてなる。
【００１９】
この例では、各案内部材５１は、折り曲げられた本体部分としての複数のガイド部５１１と、ガイド部５１１の曲げられて隣り合わせた内側端部の間に設けられた、即ち隣り合うガイド部５１１同士が接合している箇所であって谷折りとなった折り目である複数の内側接合部５１２と、ガイド部５１１の曲げられて隣り合わせた内側端部と反対側の外側端部の間に設けられた、即ち隣り合うガイド部５１１同士が接合している箇所であって山折りとなった折り目である複数の外側接合部５１３とを有する。
【００２０】
プル部材５２は、図５と図６に示されたように、扁平状になっており、案内部材５１の上端同士の間に連結された主体部５２１と、主体部５２１の後端から一体的に延出された後部延伸部５２２とを有する。
【００２１】
プル部材５２は、図６、図８、図１０等に示されたように、高さ方向において案内部材５１の上端が下端に近づいた近接位置にてガイド部５１１が吸収体４３に対して高さ方向沿いに積み重ねられる折り畳み位置（図６参照）から、案内部材５１の上端が下端から離れた離反位置にてガイド部５１１が吸収体４３に対して高さ方向沿いに引き伸ばされた伸長位置（図８、図１０参照）に変位するようにメインパッドボディ４に対して起伏可能に操作される。
【００２２】
各案内部材５１のガイド部５１１は折り畳み位置において高さ方向沿いに積み重ねられると、嵩張らずガイド部５１１が占める高さ空間を節減することができる。また、高さ空間の節減効果をより一層図るために、一方の案内部材５１のガイド部５１１が他方の案内部材５１のガイド部５１１に対して吸収体４３の長手方向の中心軸線に対して対称的に設けられ、両方の内側接合部５１２が互いに近接して設けられることが好ましい。
【００２３】
プル部材５２が折り畳み位置から伸長位置に移動されるように後部延伸部５２２が引っ張られると、例えば図１０に示されているように、両方のガイド部５１１が互いに所定の幅間隔をおいて離隔され、内側接合部５１２と外側接合部５１３とにおける折り目の夾角が拡げられる。なお、プル部材５２が引っ張られて案内部材５１の上端が下端から最も離れた場合、内側接合部５１２と外側接合部５１３との夾角がなくなるように両方のガイド部５１１がほぼ平行に対向し、各案内部材５１は折り曲げられた状態から平らの面になるように引き伸ばされる。
【００２４】
なお、案内部材５１とプル部材５２は好ましくは同じ材料で一体的に作られる。また、プル部材５２が折り畳み位置から伸長位置に動かされると、図１０のようにその幅方向の断面が略逆Ｖ字形になる。このように、生理用ナプキン３が使用されている際、図１１のように、プル部材５２が一の字形（図６）から略逆Ｖ字形（図９等）になるように引っ張られると、案内部材５１が折り畳み位置から折り曲げられた状態から平らの面になるように引き伸ばされた伸長位置に動かされた場合、略逆Ｖ字形になったプル部材５２と外側接合部５１３とがユーザーの臀部６２の股間６１に入り込まれて当接されると共に吸収体４３全体が露出するように折り返されたブロック部４２３の吸収体側面部４２３ａが臀部６２に当接されることができる。このようになると、股間６１の液排泄部からの経血等の排泄液がすぐに外側接合部５１３に当たって素早く吸収されることができる。
【００２５】
案内部材５１は、吸収体４３に連結されているので、外側接合部５１３に吸収された液等が直ちに吸収体４３側に導入されることができる。従って生理用ナプキン３の吸収力の向上を図ることができ、表面をさらっとドライに保つことができる。
【００２６】
また、ブロック部４２３の吸収体側面部４２３ａが折りかえって臀部６２に当接されることができるので、吸収面積が増大することができ、吸収力が向上することができる。
【００２７】
また、案内部材５１のガイド部５１１は、図８等に示されたように、各ガイド部５１１における外側接合部５１３と内側接合部５１２との間の幅が、吸収体４３から離れるほど、つまり上側に向かうほど段々と減少するように設けられているため、案内部材５１が占める高さ方向の空間が少なく済むようにすることができる。また、プル部材５２が引っ張られ、ガイド部５１１が折り畳み位置から伸長位置に動かされた際、図１１に示されたように、２つの案内部材５１がそれぞれ例えば内側に窪むように曲がると共に、プル部材５２とによりほぼ逆Ｖ字形状に傾斜が設けられた形状になるため、案内部材５１がユーザーの股間６１により一層容易に接触配置されることが可能である。
【００２８】
プル部材５２は後部延伸部５２２がユーザーによって引っ張られる操作をされると、上側に引っ張られ、ユーザーの股間６１に入り込みユーザーの排泄部に近寄るように動かされる。また、２つの案内部材５１は、所定の間隔をおいて離れながらプル部材５２と共に傾斜付の逆Ｖ字形状に形成されているので、ユーザーの股間６１にフィットするよう入り込んで接触配置されることができる。従って、体型が大きいユーザーにも適用される。
【００２９】
また、案内部材５１がユーザーの排泄部に近寄るように設けられているので、歩いたり寝返りを打ったりする間でも股間６１の排泄部からの経血等の排泄液を素早く吸収し、すぐに吸収体４３側にガイドすることができる。従って、排泄液の漏れも心配せずに安心して行動することができる。また、プル部材５２の後部延伸部５２２が股間６１の後ろ側に保持されるので、ユーザーが歩いたりする間でも、案内部材５１が変位することなく安定して定位されることができる。従って、排泄液を素早く吸収して吸収体４３側に導入することができるので、排泄液の漏れを極力なくすことができ、ドライに保つことができる。また、案内部材５１は股間６１に直ちに接触することができるので、上部パッド層４２が直接臀部６２に当たることがなくなる。従って、皮膚との擦れが軽減され、且つ通気性がよくなり空気がこもりにくく蒸れ感が大幅に軽減される。
【００３０】
（第２の実施例）
以下、図１２と図１３を参照して本発明に係る生理用ナプキンの第２実施例について説明するが、前述した実施例との相違点を中心に説明し、同様の事項はその説明を省略する。フローガイドユニット５は、第１の実施例におけるフローガイドユニット５の構成とほぼ同様であるが、更に液吸収性を有する複数のフラッフ（liquid-absorbent fluff）５３を備えている。複数のフラッフ５３は、案内部材５１の外側接合部５１３とプル部材５２の中間部より外方に起毛されて設けられている。
【００３１】
プル部材５２が引っ張られて案内部材５１が股間６１に近寄せられるよう動かされると、複数のフラッフ５３が臀部６２に当接されることができる（図１３参照）。このように、吸収力を高めるだけでなく、案内部材５１の皮膚に直接当たる面積が減り、皮膚との擦れが軽減され、快適感を向上させることができる。
【００３２】
（第３の実施例）
以下、図１４を参照して本発明に係る生理用ナプキンの第３の実施例について説明するが、前述した実施例との相違点を中心に説明し、同様の事項はその説明を省略する。
【００３３】
フローガイドユニット５は、上記の実施例におけるフローガイドユニット５の構成とほぼ同様であるが、その案内部材５１の内側接合部５１２に更に複数の通気孔５４が形成されている。複数の通気孔５４は、内側接合部５１２において長手方向に沿って互いに所定の間隔をおいて長く形成されており、隣接する内側接合部５１２に形成された通気孔５４は互いに交互にずれてスタガード配置になるように設けられている。これによって、通気性が向上し、股間６１に湿気が溜まることがなくなり、つけ心地がよくなり、快適感を高めることができる。
【００３４】
（第４の実施例）
図１５と図１６を参照して本発明に係る生理用ナプキンの第４の実施例について説明するが、前述した実施例との相違点を中心に説明し、同様の事項はその説明を省略する。この例では、フローガイドユニット５のプル部材５２は、後部延伸部５２２のみならず、後部延伸部５２２の逆側でありその主体部５２１の前端から一体的に延出された前部延伸部５２３を有する。ユーザーは背中側から後部延伸部５２２を引っ張っても腹側から前部延伸部５２１を引っ張ってもよいので、使用勝手が良い。なお、変化例として、プル部材５２は、後部延伸部５２２を有さず、前部延伸部５２１のみを有するように構成されてもよい。
【００３５】
（第５の実施例）
図１７を参照して本発明に係る生理用ナプキンの第５の実施例について説明するが、前述した実施例との相違点を中心に説明し、同様の事項はその説明を省略する。この例に係る構成は第２の実施例と第４の実施例の構成の一部を取り入れたものである。つまり、フローガイドユニット５は、更に外側接合部５１３とプル部材の中間部より外方に突き出て起毛された、複数の液吸収性を有する複数のフラッフ５３と、主体部５２１の前端から一体的に延出された前部延伸部５２３（図１５参照）とを備えている。このように構成すると、上記の実施例と同様な効果を有する他、吸収力を高めて着用快適感の向上を図ると共に、使用勝手も良い。
【００３６】
（第６の実施例）
図１８を参照して本発明に係る生理用ナプキンの第５の実施例について説明する。この実施例では、フローガイドユニット５は第４の実施例の構成において更に第３の実施例における通気孔５４を取り入れて構成されている。このように、複数の内側接合部５１２に複数の通気孔５４が形成され、主体部５２１の前端から前部延伸部５２３が一体的に延出されているので、通気性が向上し、使用勝手も良い。
【００３７】
以上のように、プル部材５２は案内部材５１と共に上側に引き上げられ、ユーザーの股間６１に近寄せていくと、ユーザーの体型によらずフィットでき、良好に接触することができるため、寝返りの間でも股間６１の排泄部からの経血等の液を素早く吸収し、すぐに吸収体４３側にガイドすることができる。また、案内部材５１によってメインパッドボディ４が臀部６２に対して所定のスペースをおいて離れるように配置されるため、空気がこもらず蒸れ感が大幅に軽減され、ドライに保つことができる。また、案内部材５１が吸収体４３に連結されているので、液の吸収を素早く行うことができ、ドライに保つことができる。また、プル部材５２は股間６１に入り込んで定位されるため、ユーザーが歩いたりする際、装着位置がずれることがなくなる。従って案内部材５１も安定し、変位することがない。
【００３８】
以上、本発明の好ましい実施例を説明したが、本発明はこれに限定されるものではなく、その要旨を逸脱しない範囲で種々変更可能であることはいうまでもない。
【産業上の利用可能性】
【００３９】
本発明に係る生理用ナプキンは、経血等の体液を吸収しドライに保持する衛生用品として有用である。
【符号の説明】
【００４０】
３  生理用ナプキン
４  メインパッドボディ
４１  下部パッド層
４２  上部パッド層
４２１  連結部
４２３  ブロック部
４２３ａ  吸収体側面部
４２３ｂ  連結部側面部
４３  吸収体
５  フローガイドユニット
５１  案内部材
５１１  ガイド部
５１２  内側接合部
５１３  外側接合部
５２  プル部材
５２１  主体部
５２２  後部延伸部
５２３  前部延伸部
５３  フラッフ
５４  通気孔
６１  股間
６２  臀部
【図１】
0006294445.tif 000002
【図２】
0006294445.tif 000003
【図３】
0006294445.tif 000004
【図４】
0006294445.tif 000005
【図５】
0006294445.tif 000006
【図６】
0006294445.tif 000007
【図７】
0006294445.tif 000008
【図８】
0006294445.tif 000009
【図９】
0006294445.tif 000010
【図１０】
0006294445.tif 000011
【図１１】
0006294445.tif 000012
【図１２】
0006294445.tif 000013
【図１３】
0006294445.tif 000014
【図１４】
0006294445.tif 000015
【図１５】
0006294445.tif 000016
【図１６】
0006294445.tif 000017
【図１７】
0006294445.tif 000018
【図１８】
0006294445.tif 000019